(57)【要約】【課題】  タンクレールに干渉することなく大型の装備品を遊技盤に配設可能にするとともに、タンクレールのレール通路から球払出装置の球通路に至る球の流れを円滑化して球詰まり、球噛み等の不具合の発生を防止する。【解決手段】  遊技盤４０の後側に対し球タンク１６５、タンクレール１７５及び球払出装置２１０がそれぞれ配設された遊技機であって、球払出装置２１０は、タンクレール１７５のレール通路１７４の出口に連通する流入口を有する球通路２１５を構成する装置本体２１１を備えている。【選択図】        図１
2005143799.tif 000002
【特許請求の範囲】
【請求項１】
遊技盤の後側に対し球タンク、タンクレール及び球払出装置がそれぞれ配設された遊技機であって、
前記球払出装置は、前記タンクレールのレール通路の出口に連通する流入口を有する球通路を構成する装置本体を備えていることを特徴とする遊技機。
【発明の詳細な説明】
【技術分野】
【０００１】
この発明は、遊技機に関し、詳しくは、球（パチンコ球）を用いて遊技を行う遊技機に関する。
【背景技術】
【０００２】
従来、この種の遊技機（例えば、パチンコ機）において、遊技盤の後側に対し、賞球に係わる球を貯留して供給すための球タンク、タンクレール及び球払出装置がそれぞれ配設される。
また、球払出装置は、タンクレールのレール通路の出口に連通する流入口を有する球通路を構成する装置本体を備え、タンクレール及び球払出装置は、遊技盤の後側にそれぞれ接近して配設されているのが一般的である。
遊技盤の盤面（前面）には、遊技に関する役物装置、例えば、センタ役物と呼ばれる役物装置、図柄表示装置、入賞装置等の役物装置や風車器、誘導釘、ランプ装飾部材等の各種の装備品が配設され、これら各種の装備品のうち、所定の装備品の後部は遊技盤の後側に突出して配設される。
【０００３】
近年、遊技性の向上や斬新化等を図るため、例えば、図柄表示装置を備えた役物装置が大型化する傾向にある。
しかしながら、遊技盤の後側にはタンクレールが接近して配設されることから、そのタンクレールによって装備品としての役物装置の大型化が制限される。
大型の役物装置（装備品）の後部との干渉を避けるため、遊技盤の後側との間に所要とする空間部を隔ててタンクレールが配設され、同タンクレールの出口寄り部分からその出口の間のレール部分において、遊技盤の後側に向けて折り曲げられ、折り曲げられたレール部分の出口を球払出装置の球通路の流入口と接続するように構成したものが知られている（例えば、特許文献１参照）。
【特許文献１】特開平１１ー１９７２９８号公報
【発明の開示】
【発明が解決しようとする課題】
【０００４】
ところで、前記した従来のものにおいては、タンクレールの折り曲げられたレール部分において、球の流れが変化するため、球詰まり、球噛み等の不具合が発生するおそれが高くなっている。そのため、その対策を講ずる必要がある。
【０００５】
この発明の目的は、前記問題点に鑑み、タンクレールに干渉することなく大型の装備品を遊技盤に配設可能にするとともに、タンクレールのレール通路から球払出装置の球通路に至る球の流れを円滑化して球詰まり、球噛み等の不具合の発生を防止することができる遊技機を提供することである。
【課題を解決するための手段】
【０００６】
前記目的を達成するために、請求項１の発明に係る遊技機は、
「遊技盤の後側に対し球タンク、タンクレール及び球払出装置がそれぞれ配設された遊技機であって、
前記タンクレールは、前記遊技盤の後側に突出する装備品との干渉を避けるための第１空間部を隔てた状態で設けられ、
前記球払出装置は、前記タンクレールのレール通路の出口に連通する流入口を有する球通路を構成する装置本体を備え、
前記装置本体と前記遊技盤との間には、前記第１空間部と前後方向に略同一レベルにおいて第２空間部が設けられることで、前記レール通路と前記球通路とが前後方向に略同一レベルで配置されていることを特徴とする遊技機。」を要旨とするものである。
【０００７】
したがって、遊技盤の後側に第１空間部を隔ててタンクレールが設けられることで、遊技盤に配設された装備品の後部の一部（上部）がタンクレールに干渉することなく第１空間部内において突出する。このため、遊技盤に対し大型の装備品を配設したり、あるいは遊技盤の上部寄り部分に装備品を配設にすることが可能となる。
また、球払出装置の装置本体と遊技盤との間に第１空間部と前後方向に略同一レベルにおいて第２空間部が設けられることで、レール通路と球通路とを前後方向に略同一レベルで配置することができる。
このため、タンクレールのレール通路から球払出装置の球通路に至る球の流れが円滑化する。
【０００８】
請求項２の発明に係る遊技機は、請求項１に記載の遊技機であって、
球タンク、タンクレール及び球払出装置の装置本体のそれぞれの後面は略同一面をなしていることを特徴とする。
したがって、球タンク、タンクレール及び球払出装置の装置本体のそれぞれの後面を略同一面にすることで、球タンクの後面のみが大きく突出することがなく、遊技機全体の後面を略面一化することが可能となる。このため、遊技機の保管・運搬等がしやすくなる。
【０００９】
請求項３の発明に係る遊技機は、請求項１又は２に記載の遊技機であって、
球払出装置は、その装置本体の球通路内の球を払い出す回転体と、
その回転体を駆動するモータと、を備え、
前記モータは、前記装置本体の前側から第２空間部内に突出して配設されていることを特徴とする。
したがって、球払出装置の装置本体と遊技盤との間の第２空間部内においてモータを配設することで、第２空間部を有効利用することができるとともに、モータを保護することができる。
さらに、球払出装置の装置本体の後側にモータを露出して（突出して）配設する場合に比べ、遊技機全体の奥行き寸法がモータによって増大されることがない。このため、遊技機の保管・運搬等が一層しやすくなるとともに、遊技機ホールの島設備の限られた設置スペース内に対する遊技機の設置がそのモータによる奥行き寸法の増大によって困難となる不具合が生じない。
【発明の効果】
【００１０】
この発明によれば、遊技盤に対し大型の装備品を配設したり、あるいは遊技盤の上部寄り部分に装備品を配設にすることが可能となり、各種の装備品の設計、配設の自由度を増大することができる。この結果、遊技性の向上や斬新化等を図ることができる。しかも、タンクレールのレール通路から球払出装置の球通路に至る球の流れを円滑化して球詰まりや球噛みの発生を防止することができる。
【発明を実施するための最良の形態】
【００１１】
次に、この発明を実施するための最良の形態を実施例にしたがって説明する。
【実施例】
【００１２】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の後側上部を拡大して示す部分背面図である。図５は図４のＶ−Ｖ線に基づく側断面図である。図６は図４のＶＩ−ＶＩ線に基づく側断面図である。図７は図４のＶＩＩ−ＶＩＩ線に基づく平断面図である。図８は遊技機の本体枠と遊技盤とを分離して斜め右上前方から示す斜視図である。図９は遊技機の本体枠を斜め左上前方から示す斜視図である。図１０は球払出装置を示す斜視図である。なお、説明の便宜上、遊技機において遊技者側を前、反対側を後として説明する。
【００１３】
図１〜図３に示すように、遊技機としてのパチンコ機の外枠１０は、上下左右の枠材によって縦長四角形の枠状に形成され、その外枠１０の前面の片側には、本体枠開閉用ヒンジ機構２０によって本体枠３０が前方に開閉可能に装着されている。
この本体枠３０のヒンジ機構と反対側に自由端側の後側には、外枠１０に設けられた係止具に係脱可能に係合して本体枠３０を閉じ状態に施錠する本体枠施錠フック１４５が配設されている。
本体枠３０は、合成樹脂材によって一体に形成されるとともに、図８と図９に示すように、その前側に遊技盤装着部３１が後側に機構装着部１６０がそれぞれ形成されている。これによって、本体枠３０は、従来の前枠（内枠、前面枠等と呼ばれることがある）と、機構板（裏機構板、裏セット板等と呼ばれることがある）との機能を兼ね備えている。
【００１４】
図８と図９に示すように、本体枠３０の前側の遊技盤装着部３１は、遊技盤４０が前側から着脱交換可能に嵌込まれる嵌込み枠部３３を有し、その嵌込み枠部３３の奥側の枠部内周には遊技盤４０の後側の周縁部を受け止める後面受け部３４が形成されている。
また、嵌込み枠部３３の一側内壁面の上下部２箇所には、後面受け部３４との間に遊技盤４０の一側部が差し込み可能な間隔を隔てて前面押え部３５が形成されている。
また、図９に示すように、嵌込み枠部３３の他側内壁面の上下部２箇所には、遊技盤４０のロック部材５０に対応する係止溝３６が形成されている。
また、嵌込み枠部３３の他側部近傍には、本体枠３０側と遊技盤４０側とを電気的に接続するための本体側コネクタ４５が設置されている。
また、嵌込み枠部３３の下側部には、遊技盤４０の前面下部を嵌込み枠部３３の後面受け部３４に押さえ付けて緊締するターンバックル形式の緊締具６０が装着されている。
【００１５】
図８に示すように、遊技盤４０は、遊技盤装着部３１の嵌込み枠部３３に嵌込まれる大きさの略四角板状に形成されている。遊技盤４０の盤面（前面）には、外レール４２と内レール４３とを備えた案内レール４１が設けられ、その案内レール４１の内側に遊技領域４４が区画形成されている。
遊技盤４０には、その遊技領域４４内において、遊技に関する役物装置、例えば、センタ役物と呼ばれる役物装置４６、図柄表示装置４８、入賞装置等の役物装置や風車器、誘導釘、ランプ装飾部材等の各種の装備品が配設されている。これら各種の装備品のうち、所定の装備品の後部、この実施例では、役物装置４６の役物本体４７の後部４７ａが遊技盤４０の後側に突出して配設される。
また、遊技盤４０の前面には、その案内レール４１の外側領域において、合成樹脂製の前構成部材４０ａが装着されている。
【００１６】
この実施例において、役物装置４６の役物本体４７には、略中央部に開口窓が形成され、図柄表示装置（例えば、液晶パネル）４８の表示面４９は役物本体４７の後側においてその開口窓に臨んで装着されている。
そして、役物本体４７は、遊技盤４０の中央部に貫設された組付孔に嵌込まれ、同役物本体４７の後部４７ａ及び図柄表示装置４８の図柄制御基板ボックス４８ａは遊技盤４０の後側に突出して配設されている（図５及び図６参照）。
【００１７】
また、図８と図９に示すように、遊技盤４０前面の前構成部材４０ａの他側寄りの上下２箇所には、嵌込み枠部３３の係止溝３６に対応する位置においてロック部材５０がピンと左右方向の長孔によって回動操作可能に装着されている。
そして、遊技盤４０（前構成部材４０ａを含む）は、その左右の一側部が嵌込み枠部３３の後面受け部３４と前面押え部３５との間に差し込まれ、ロック部材５０の先端のロック部５１が嵌込み枠部３３の係止溝３６に差し込まれて係合されることで本体枠３０の遊技盤装着部３１に装着されるようになっている（図１参照）。
【００１８】
遊技盤４０の後側には、その中央部から下部にわたる部分において、各種入賞装置に流入した球を受けかつその球を所定位置まで導く集合樋としての機能とボックス装着部としての機能を兼ね備えた後カバー体７０が設けられている。この後カバー体７０には、音声制御基板、ランプ制御基板等の副制御基板が収納された副制御基板ボックス９０と、主制御基板が収納された主制御基板ボックス８０とが前後に重ね合わされた状態で装着されている（図３参照）。
さらに、遊技盤４０の後側に対し後カバー体７０、副制御基板ボックス９０及び主制御基板ボックス８０がそれぞれ装着された状態において、本体枠３０の遊技盤装着部３１の前側からその嵌込み枠部３３内に遊技盤４０を嵌込んで装着できるように、遊技盤４０の後面の平面投影内において、後カバー体７０、副制御基板ボックス９０及び主制御基板ボックス８０が外側にはみ出すことなく配置されている。
【００１９】
また、この実施例において、遊技盤４０の後側の他側寄り下部には、本体枠３０の遊技盤装着部３１の前側からその嵌込み枠部３３内に遊技盤４０を嵌込む動作によって、本体側コネクタ４５に挿脱可能に差し込まれる遊技盤側コネクタ４５が設置されている（図８及び図９参照）。
【００２０】
図８と図９に示すように、本体枠３０の前面に遊技盤装着部３１よりも下方に位置する下部領域の一側よりにはスピーカボックス部が一体に形成され、そのスピーカボックス部の前側開口部には、同開口部を塞ぐようにしてスピーカ装着板１０７が装着されている。そして、スピーカ装着板１０７にはスピーカ１０９が装着されている。
また、図８と図９に示すように、本体枠３０の前面の下部領域の他側寄り上部には、遊技盤４０の発射通路に向けて球を導く発射レール１００が傾斜状に装着されている。
また、本体枠３０の前面の下部領域の前側には、その下部領域全体を覆うようにして下部前面板１１０が装着されている。下部前面板１１０の前面の略中央部には、下皿１１１が設けられ、片側寄りには操作ハンドル１１５が設けられている。
【００２１】
図１と図２に示すように、本体枠３０の前面の片側には、同本体枠３０の上端から下部前面板１１０にわたる部分を覆うようにしてガラス扉１３０が扉開閉用ヒンジ機構１２０によって前方に開閉可能に装着されている。ガラス扉１３０のヒンジ機構と反対側に自由端側の後側には、本体枠３０に設けられた扉施錠フック１４１に係脱可能に係合してガラス扉１３０を閉じ状態に施錠する係止部（図示しない）が設けられている。
また、ガラス扉１３０には、遊技盤４０の遊技領域４４を前方から透視可能な開口窓を構成する窓枠１３２が設けられ、その窓枠１３２にはガラス板、透明樹脂板等の透明板１３３が装着されている。
また、ガラス扉１３０の前面の略全体は、ランプ等が内設された前面装飾部材によって装飾され、同ガラス扉１３０の前面の下部には上皿１３６が形成されている（図２参照）。
【００２２】
一方、図３〜図７に示すように、本体枠３０の後側の機構装着部１６０には、タンク装着部１６１、レール装着部１７０、払出装置装着部２００、基板ボックス装着部、発射装置装着部、基板装着部等がそれぞれ形成されている。
すなわち、図４と図５に示すように、本体枠３０の機構装着部１６０の上部にはタンク受棚１６２と左右の側壁部１６３とを備えたタンク装着部１６１が形成されている。このタンク装着部１６１には、多数の球の貯留可能な容積をもつ球タンク１６５が装着されている。また、球タンク１６５は、透明な合成樹脂材より形成され、同球タンク１６５の球の貯留状態が球タンク１６５の後側壁を透して視認可能となっている。また、球タンク１６５の底板１６６の片側後寄り部分には球を放出する放出口１６７が形成されている。
【００２３】
図４と図５に示すように、タンク装着部１６１に下方には、タンクレール１７５の前壁部１７１と、傾斜状をなすレール受け棚１７２とを備えたレール装着部１７０が形成されている。このレール装着部１７０にレール構成部材１７９が組み付けられることでタンクレール１７５が構成されるようになっている。
すなわち、この実施例において、レール構成部材１７９は、前壁部１７１との間にレール通路１７４を構成する後壁部１７６と、傾斜状をなす下板部１７７と、その下板部１７７の上面の前後方向中央部に沿って突設されレール通路１７４を前後２列に区画する仕切り壁１７８とを一体に備えて形成されている。このレール構成部材１７９は、レール装着部１７０に対し適宜の取付手段によってが装着され、これによって、前後２列のレール通路１７４を備えたタンクレール１７５が構成されるようになっている。
そして、球タンク１６５の放出口１６７から放出（自重によって落下）された球がタンクレール１７５の前後２列のレール通路１７４の一端部においてそれぞれ受けられた後、球が自重によってレール通路１７４に沿って転動することでレール通路１７４の他端部に向けて流れるようになっている。
また、この実施例において、タンクレール１７５の後壁部１７６を有するレール構成部材１７９は、透明な合成樹脂材より形成され、これによって、レール通路１７４内の球の流れ状態が後壁部１７６を透して視認可能となっている。
【００２４】
また、図５に示すように、タンクレール（レール装着部１７０）１７５の前壁部１７１は、遊技盤４０の後側に突出する装備品、例えば、役物装置４６の役物本体４７の後部４７ａの上端部との干渉を避けるための第１空間部Ｓ１を隔てた状態で設けられている。
また、この実施例において、図５に示すように、タンクレール（レール構成部材１７９）１７５の後壁部１７６は、球タンク１６５の後側壁と略同一面をなしている。
言い換えると、球タンク１６５の後壁面に対しタンクレール１７５の後壁部１７６が略同一面となる位置までタンクレール１７５が遊技盤４０の後面より後方に離隔して配置されている。これによって、遊技盤４０の後側とタンクレール１７５の前壁部１７１との間に役物装置４６の役物本体４７の後部４７ａとの干渉を避けるための第１空間部Ｓ１が設けられるようになっている。
【００２５】
また、図４に示すように、レール装着部１７０の上方には、レール通路１７４を流れる球が上下に重なることなく整列させる整流体１９０がその上部において軸１９１を中心として揺動可能に装着されている。この整流体１９０には、その中央部から下部において錘１９２が設けられている。
【００２６】
図３と図４に示すように、本体枠３０の後側の片側（図４に向かって右側）寄りの上下方向には、次に述べる球払出装置２１０に対応する縦長の払出装置装着部２００が形成されている。
図６と図８に示すように、払出装置装着部２００は、後方に開口部をもつ凹状に形成されている。また、払出装置装着部２００の奥壁部（前壁部）２０４の所定位置には、球払出装置２１０のモータ２２１が突出可能な開口部２０５が形成されている。
図３と図６に示すように、球払出装置２１０は、その装置本体２１１が払出装置装着部２００の凹部と略同じ大きさの縦長のボックス形状をなし、その装置本体２１１に払い出しに係わる各種部品が装着されることでユニット化されている。そして、球払出装置２１０は、その装置本体２１１において、払出装置装着部２００の凹部の後方開口部から嵌込まれて適宜の取付手段（例えば、弾性クリップ、係止爪、ビス等の取付手段）によって装着されるようになっている。
【００２７】
この実施例において、図６と図１０に示すように、球払出装置２１０の装置本体（ユニット本体）２１１は、その前側から後側に向けてベース体２１２、中間構成部材２１３及び後カバー体２１４を備え、これら各部材によってタンクレール１７５の前後のレール通路１７４に出口にそれぞれ連通する流入口を有する球通路２１５が形成されている。
また、図３に示すように、装置本体２１１には、その前後２列の球通路２１５の下流部が二股状に分岐されて前後２列の賞球用通路２１６と貸球用通路２１７とがそれぞれ形成されている。そして賞球用通路２１６と貸球用通路２１７との分岐部には、球通路２１５の球を賞球用通路２１６と貸球用通路２１７とのいずれかに振り分けて払い出すための回転体２２０が正逆回転可能にかつモータ２２１を駆動源として配設されている。
また、球払出装置２１０の装置本体２１１の少なくとも後カバー体２１４（この実施例において、ベース体２１２、中間構成部材２１３及び後カバー体２１４）は、透明な合成樹脂材より形成され、これによって、装置本体２１１の球通路内の球の流れ状態が後カバー体２１４を透して視認可能となっている。
【００２８】
図６に示すように、払出装置装着部２００の凹部に球払出装置２１０がその装置本体２１１において装着された状態において、装置本体２１１と遊技盤４０との間（奥壁部２０４と遊技盤４０後側との間）には、第１空間部Ｓ１と前後方向に略同一レベルにおいて第２空間部Ｓ２が設けられている。これによって、レール通路１７４と球通路２１５とが前後方向に略同一レベルで配置されている。
また、球タンク１６５、タンクレール１７５及び球払出装置２１０の装置本体２１１のそれぞれの後面は略同一面をなしている。
【００２９】
また、この実施例において、図６に示すように、装置本体２１１のベース体２１２の前側には、回転体２２０を正逆方向に回転駆動するためのモータ２２１が取付板２２２を間に挟んで装着されている。これによってモータ２２１は払出装置装着部２００の奥壁部２０４の開口部２０５を通して第２空間部Ｓ２内に突出している。
また、図６と図１０に示すように、モータ２２１の取付板２２２の左右両側部には同モータ２２１の両側方に沿って側壁部２２４が形成されている。そして、これら両側壁部２２４によってモータ２２１が保護されるとともに、同モータ２２１の熱が取付板２２２の両側壁部２２４に伝導されて放熱され、これによってモータ２２１の過熱による損傷を防止するようになっている。
【００３０】
また、この実施例において、図３に示すように、本体枠３０の後側の機構装着部１６０の下部領域の片側（図３に向かって左側）には、発射レール１００の下傾端部の発射位置に送られた球を発射するための発射ハンマー２３３、その発射ハンマー２３３を作動する発射モータ２３２等を有する発射装置ユニット２３０が装着されている。また、機構装着部１６０の下部領域の中央部には、電源基板を有する電源基板ボックス２４０、払出制御基板を有する払出制御基板ボックス２３４等が装着されている。
【００３１】
上述したように構成されるこの実施例に係る遊技機において、図５に示すように、遊技盤４０の後側に第１空間部Ｓ１を隔ててタンクレール１７５が設けられている。
このため、遊技盤４０に配設された装備品の後部、この実施例では役物装置４６の役物本体４７の後部４７ａの上端部をタンクレール１７５の前壁部１７１に干渉することなく第１空間部Ｓ１内において突出させることができる。
この結果、遊技盤４０に対し大型の役物装置（大型の液晶パネルを備えた役物装置）４６を配設したり、あるいは遊技盤４０の上部寄り部分に、他の入賞装置、ゲート口等の役物装置（装備品）を配設にすることが可能となる。これによって、遊技盤４０に対する各種の装備品の設計、配設の自由度を増大することができ、遊技性の向上や斬新化等を図ることができる。
【００３２】
また、図６に示すように、球払出装置２１０前側の払出装置装着部２００の奥壁部２０４と遊技盤４０との間に第１空間部Ｓ１と前後方向に略同一レベルにおいて第２空間部Ｓ２が設けられている。これによって、レール通路１７４と球通路２１５とを前後方向に略同一レベルで配置することができるため、タンクレール１７５のレール通路１７４から球払出装置２１０の球通路２１５に至る球の流れが円滑化する。
すなわち、島設備の球供給路から球タンク１６５に供給された貯留された球はその放出口１６７からタンクレール１７５のレール通路１７４の一端側に落下して流れる。そして、レール通路１７４の下板部１７７の傾斜面に沿って一直線状に流れて球払出装置２１０の球通路２１５の入口から同球通路２１５内に流入して流れる。
このようにして、球を前後方向に変化させることなく略同一レベルで一直線状に流すことができる。これによって、タンクレール１７５のレール通路１７４から球払出装置２１０の球通路２１５に至る球の流れを円滑化することができ、球詰まりや球噛み等の不具合が発生することを防止することができる。
【００３３】
また、遊技盤４０の後側に第２空間部Ｓ２を隔てて球払出装置２１０が設けられている。これによって、第２空間部Ｓ２に対しても遊技盤４０の後側に各種の装備品の後部を突出して配設することが可能となる。この結果、遊技盤４０に対する各種の装備品の設計、配設の自由度をより一層増大することができ、遊技性の向上や斬新化等を図ることができる。
【００３４】
また、この実施例において、球タンク１６５、タンクレール１７５及び球払出装置２１０の装置本体２１１のそれぞれの後面が略同一面をなしている。このため、球タンク１６５の後面のみが大きく突出することがなく、遊技機全体の後面を略面一化することが可能となる。このため、遊技機の保管・運搬等がしやすくなる。
【００３５】
また、図６に示すように、球払出装置２１０の回転体２２０を駆動するモータ２２１は、装置本体２１１の前側から第２空間部Ｓ２内に突出して配設されている。
このようにして、球払出装置２１０の装置本体２１１と遊技盤４０との間の第２空間部Ｓ２内においてモータ２２１を配設することで、第２空間部Ｓ２を有効利用することができるとともに、モータ２２１を保護することができる。
さらに、球払出装置２１０の装置本体２１１の後面にモータ２２１を露出して（突出して）配設する場合に比べ、遊技機全体の奥行き寸法がモータ２２１によって増大されることがない。このため、遊技機の保管・運搬等が一層しやすくなるとともに、遊技機ホールの島設備の限られた設置スペース内に対する遊技機の設置がそのモータ２２１による奥行き寸法の増大によって困難となる不具合が生じない。
【００３６】
また、この実施例において、球タンク１６５、タンクレール１７５及び球払出装置２１０の装置本体２１１の後壁部はそれぞれ透明であり、球タンク１６５、タンクレール１７５及び球払出装置２１０に至る球の流れや球の存在がそれぞれの後側壁を透して視認可能となっている。このため、球の流れや存在が明確となり、仮に、球詰まりや球噛み等が発生した場合においても、その球詰まりや球噛み箇所を容易に発見することができる。
【００３７】
なお、この発明は前記実施例に限定するものではない。
例えば、前記実施例においては、外枠１０の前面に開閉可能に装着された本体枠３０が
従来の前枠（内枠、前面枠等と呼ばれることがある）と、機構板（裏機構板、裏セット板等と呼ばれることがある）との機能を兼ね備えている場合を例示したがこれに限定するものではない。
すなわち、外枠１０の前面に遊技盤４０が装着される前枠を開閉可能に装着し、その前枠の後側に、球タンク、タンクレール、球払出装置等の機構部が装着される機構板を配設した形式の遊技機であってもこの発明を採用することができる。
また、球払出装置２１０においては、ユニット化されることなく本体枠３０の払出装置装着部２００に対し各部構成部材を組み付けて構成することも可能である。
【図面の簡単な説明】
【００３８】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の後側上部を拡大して示す部分背面図である。
【図５】同じく図４のＶ−Ｖ線に基づく側断面図である。
【図６】同じく図４のＶＩ−ＶＩ線に基づく側断面図である。
【図７】同じく図４のＶＩＩ−ＶＩＩ線に基づく平断面図である。
【図８】同じく遊技機の本体枠と遊技盤とを分離して斜め右上前方から示す斜視図である。
【図９】同じく遊技機の本体枠と遊技盤とを分離して斜め左上前方から示す斜視図である
【図１０】同じく球払出装置を示す斜視図である。
【符号の説明】
【００３９】
１０  外枠
３０  本体枠
３１  遊技盤装着部
４４  遊技領域
１３０  ガラス扉
１６０  機構装着部
１６５  球タンク
１７４  レール通路
１７５  タンクレール
２１０  球払出装置
２１１  装置本体
２１５  球通路
２２０  回転体
２２１  モータ
【図１】
2005143799.tif 000003
【図２】
2005143799.tif 000004
【図３】
2005143799.tif 000005
【図４】
2005143799.tif 000006
【図５】
2005143799.tif 000007
【図６】
2005143799.tif 000008
【図７】
2005143799.tif 000009
【図８】
2005143799.tif 000010
【図９】
2005143799.tif 000011
【図１０】
2005143799.tif 000012